(57)【要約】      （修正有）【課題】諸収差、特に色収差を良好に補正しながら、光学全長の短い小型なテレコンバータを提供する。【解決手段】物体側から像面側へ順に、正の屈折力の前群ＴＣＦと、負の屈折力の後群ＴＣＲから構成され、該テレコンバータＴＣの負レンズは以下の条件を満足する。−１．６８Ｅ−３×νｄｎ＋０．５９０＜θｇＦｎ＜３．１５Ｅ−４×νｄｎ＾２−１．８６Ｅ−２×νｄｎ＋０．８７８。５＜νｄｎ＜２７。νｄ１：負レンズのアッベ数。θｇＦｎ：負レンズの部分分散比【選択図】図１
2012123032.tif 000002
【特許請求の範囲】
【請求項１】
マスターレンズの物体側に装着するテレコンバータであって、
物体側から像面側へ順に、正の屈折力の前群と、負の屈折力の後群から構成され、
該テレコンバータの負レンズは以下の条件を満足することを特徴とするテレコンバータ。
−１．６８Ｅ−３×νｄｎ＋０．５９０ ＜ θｇＦｎ
＜ ３．１５Ｅ−４×νｄｎ＾２−１．８６Ｅ−２×νｄｎ＋０．８７８
５ ＜ νｄｎ ＜ ２７
νｄｎ：負レンズのアッベ数
θｇＦｎ：負レンズの部分分散比
【請求項２】
前記前群は、少なくとも正レンズ１枚と負レンズ１枚を有し、
該負レンズは以下の条件を満足することを特徴とする請求項１に記載のテレコンバータ。
−１．６８Ｅ−３×νｄ１ｎ＋０．５９０ ＜ θｇＦ１ｎ
＜ ３．１５Ｅ−４×νｄ１ｎ＾２−１．８６Ｅ−２×νｄ１ｎ＋０．８７８
５ ＜ νｄ１ｎ ＜ ２７
νｄ１ｎ：前群負レンズのアッベ数
θｇＦ１ｎ：前群負レンズの部分分散比
【請求項３】
前記前群負レンズの焦点距離をｆ１ｎ、前記前群の焦点距離をｆ１とするとき、
０．９ ＜ ｜ｆ１ｎ｜／ｆ１ ＜ ６．５
なる条件を満足することを特徴とする請求項１又は請求項２に記載のテレコンバータ。
【請求項４】
前記前群の正レンズのアッベ数をνｄ１ｐとするとき、
５５ ＜νｄ１ｐ
なる条件を満たすことを特徴とする請求項１乃至請求項３のいずれか１項に記載のテレコンバータ。
【請求項５】
前記後群は正レンズと負レンズをそれぞれ１枚から成り、後群の正レンズの焦点距離をｆ２ｐ、後群の負レンズの焦点距離をｆ２ｎとするとき、
０．０５ ＜ ｜ｆ２ｎ｜／ｆ２ｐ ＜ ０．８０
なる条件を満たすことを特徴とする請求項１乃至請求項４のいずれか１項に記載のテレコンバータ。
【請求項６】
前記後群は正レンズと負レンズをそれぞれ１枚から成り、後群の負レンズの焦点距離をｆ２ｎ、後群の焦点距離をｆ２とするとき、
０．４ ＜ ｜ｆ２ｎ｜／｜ｆ２｜ ＜ １．０
なる条件を満たすことを特徴とする請求項１乃至請求項５のいずれか１項に記載のテレコンバータ。
【請求項７】
前記前群負レンズの屈折率をＮｄ１ｎとするとき、
１．８４ ＜Ｎｄ１ｎ ＜２．５
なる条件を満たすことを特徴とする請求項１乃至請求項６のいずれか１項に記載のテレコンバータ。
【請求項８】
前記前群の焦点距離をｆ１、前記後群の焦点距離をｆ２とするとき、
１．５ ＜ｆ１／｜ｆ２｜ ＜３．０
なる条件を満たすことを特徴とする請求項１乃至請求項７のいずれか１項に記載のテレコンバータ。
【請求項９】
請求項１乃至請求項９のいずれか１項に記載のテレコンバータと該テレコンバータによって形成された像を受光する撮像素子を有することを特徴とする光学機器。
【発明の詳細な説明】
【技術分野】
【０００１】
本発明は、例えばデジタルカメラ、ビデオカメラ等の撮影レンズ（マスターレンズ系）の前方（物体側）に装着し、撮影レンズ系全体の焦点距離を長い方に変換するテレコンバータレンズに関するものである。
【背景技術】
【０００２】
デジタルカメラ、ビデオカメラにおいてＣＣＤやＣＭＯＳセンサ等の固体撮像素子の高画素化が進み、撮影レンズには色収差を含めて高い光学性能が要求されると共に、小型化が進んでいる。
【０００３】
したがって、撮影レンズに装着するテレコンバータにも、高い光学性能の実現と小型化とが要求されている。
【０００４】
撮影レンズの物体側に装着して全系の焦点距離を長い方へ変換するいわゆるフロントテレコンバータとして、例えば、特許文献１のように、正の屈折力の前群に含まれる正レンズを２枚とした構成が知られている。また、前群、後群共に正レンズ、負レンズを用いて、各群にて色消しを行った構成として、特許文献２、３が知られている。
【先行技術文献】
【特許文献】
【０００５】
【特許文献１】特開２００５−３３１８５１号公報
【特許文献２】特開２００４−２６４６６９号公報
【特許文献３】特開２００８−０７０４３３号公報
【発明の概要】
【発明が解決しようとする課題】
【０００６】
近年、撮像装置に用いるレンズ系には、高変倍比で、かつレンズ系全体が小型であることが強く要望されている。同様に、コンバータレンズにも、光学性能の実現と小型化とが要求されている。
【０００７】
一般に、非球面を多用すると、レンズ全長の短縮化を図りながら高い光学性能を実現することが可能となる場合がある。しかしながら、コンバータレンズに非球面を用いると、製造コストが高くなるという問題がある。また、正レンズに蛍石などの低分散材を採用した場合、屈折率が低く、小型化に関して十分に達成されないという問題があった。
【０００８】
そこで、本発明の目的は、このような従来例を鑑みられたもので、諸収差を良好に補正しつつも、安価で小型なコンバータレンズの提供を目的とする。
【課題を解決するための手段】
【０００９】
上記目的を達成するために、本発明のテレコンバータレンズおよびそれを有する撮像装置は、
マスターレンズの物体側に装着するテレコンバータであって、
物体側から像面側へ順に、正の屈折力の前群と、負の屈折力の後群から構成され、
該テレコンバータの負レンズは以下の条件を満足することを特徴とする。
−１．６８Ｅ−３×νｄｎ＋０．５９０ ＜ θｇＦｎ
＜ ３．１５Ｅ−４×νｄｎ＾２−１．８６Ｅ−２×νｄｎ＋０．８７８
５ ＜ νｄｎ ＜ ２７
νｄｎ：負レンズのアッベ数
θｇＦｎ：負レンズの部分分散比
【発明の効果】
【００１０】
本発明によれば、高いアフォーカル倍率を実現しつつ、軸上色収差、倍率色収差、球面収差などの諸収差が良好に補正され、安価で軽量なコンバータレンズが実現できる。
【図面の簡単な説明】
【００１１】
【図１】実施例１のテレコンバータレンズをマスターレンズに到着した際の広角端のレンズ断面図
【図２】実施例１のテレコンバータレンズの断面図
【図３】実施例１の収差図（広角端）
【図４】実施例１の収差図（望遠端）
【図５】実施例２のテレコンバータレンズの断面図
【図６】実施例２の収差図（広角端）
【図７】実施例２の収差図（望遠端）
【図８】実施例３のテレコンバータレンズの断面図
【図９】実施例３の収差図（広角端）
【図１０】実施例３の収差図（望遠端）
【図１１】実施例４のテレコンバータレンズの断面図
【図１２】実施例４の収差図（広角端）
【図１３】実施例４の収差図（望遠端）
【図１４】実施例５のテレコンバータレンズの断面図
【図１５】実施例５の収差図（広角端）
【図１６】実施例５の収差図（望遠端）
【図１７】実施例６のテレコンバータレンズの断面図
【図１８】実施例６の収差図（広角端）
【図１９】実施例６の収差図（望遠端）
【図２０】アッベ数νｄと部分分散比θｇＦの関係を示すグラフ
【発明を実施するための形態】
【００１２】
上記目的を達成するために、本発明のテレコンバータレンズおよびそれを有する撮像装置は、
マスターレンズの物体側に装着するテレコンバータであって、
物体側から像面側へ順に、正の屈折力の前群と、負の屈折力の後群から構成され、
該テレコンバータの負レンズは以下の条件を満足することを特徴としている。
（１） −１．６８Ｅ−３×νｄｎ＋０．５９０ ＜ θｇＦｎ
＜ ３．１５Ｅ−４×νｄｎ＾２−１．８６Ｅ−２×νｄｎ＋０．８７８
（２） ５ ＜ νｄｎ ＜ ２７
νｄｎ：負レンズのアッベ数
θｇＦｎ：負レンズの部分分散比
条件式（１）、（２）は、テレコンバータの負レンズを構成する材料を規定したものである。
【００１３】
なお、アッベ数νｄ、部分分散比θｇFはフラウンホーファ線のｄ線、Ｆ線、Ｃ線、ｇ線における屈折率をＮｄ、ＮＦ、ＮＣ、Ｎｇとするとき、
νｄ＝（Ｎｄ−１）／（ＮＦ−ＮＣ）
θｇＦ＝（Ｎｇ−ＮＦ）／（ＮＦ−ＮＣ）
で定義される。
【００１４】
本発明では、前群に条件式（１）、（２）を同時に満足する材料で構成された負レンズを持たせることにより、一次の色消しと、二次スペクトルの補正を両立している。
【００１５】
図２０は、アッベ数νｄと部分分散比θｇＦの関係したグラフである。
【００１６】
条件式（１）は、前群中の負レンズの部分分散比を規定する条件である。条件式（１）を満足する材料は、異常分散性を有するものである。条件式（１）の範囲外となる材料は、二次スペクトル低減のために必要な異常分散性を持たないものである。例えば、負レンズのガラス組成の一成分として、二酸化テルル（ＴｅＯ２）を２０モル％以上含有した場合、アッベ数νｄと部分分散比θｇＦを所望の値にすることが可能となる。
【００１７】
条件式（１）は、次の条件式（１ａ）を満足すると硝材の屈折率を高くすることが容易となり、諸収差の補正効果が大きく、好ましい。
（１ａ）−１．６８Ｅ−３×νｄｎ＋０．６００ ＜ θｇＦｎ
＜ ３．１５Ｅ−４×νｄｎ＾２−１．８６Ｅ−２×νｄｎ＋０．８７８
さらに、条件式（１ｂ）を満足するとより一層好ましい。
（１ｂ）−１．６８Ｅ−３×νｄｎ＋０．６２０ ＜ θｇＦｎ
＜ ３．１５Ｅ−４×νｄｎ＾２−１．８６Ｅ−２×νｄｎ＋０．８７８
条件式（２）は、前群中の負レンズのアッベ数を規定する条件である。条件式（２）の上限値を超えてアッベ数が大きくなると、分散が小さくなりすぎ、前群の正レンズで発生する一次の色収差を補正することが困難となる。
【００１８】
条件式（２）は、次の条件式（２ａ）を満足すると一次の色消し効果が大きく、好ましい。
（２ａ）１０ ＜ νｄｎ ＜ ２７
さらに、条件式（２ｂ）を満足するとより一層好ましい。
（２ｂ）１５ ＜ νｄｎ ＜ ２７
また、前記前群は、少なくとも正レンズ１枚と負レンズ１枚を有し、該負レンズは以下の条件を満足することが望ましい。
（３）  −１．６８Ｅ−３×νｄ１ｎ＋０．５９０ ＜ θｇＦ１ｎ
＜ ３．１５Ｅ−４×νｄ１ｎ＾２−１．８６Ｅ−２×νｄ１ｎ＋０．８７８
（４）  ５ ＜ νｄ１ｎ ＜ ２７
νｄ１ｎ：前群負レンズのアッベ数
θｇＦ１ｎ：前群負レンズの部分分散比
条件式（３）、（４）は、前群負レンズを構成する材料を規定したものである。
【００１９】
テレコンバータのアフォーカル倍率を大きくした際、二次スペクトルを抑えるために、テレコンバータの前群で色収差の発生を抑制すると効果的である。
【００２０】
条件式（３）および条件式（４）は、（３ａ）、（３ａ）を満足すると好ましく、（３ｂ）、（３ｂ）を満足するとより一層好ましい。
（３ａ）−１．６８Ｅ−３×νｄ１ｎ＋０．６００ ＜ θｇＦ１ｎ
＜ ３．１５Ｅ−４×νｄ１ｎ＾２−１．８６Ｅ−２×νｄ１ｎ＋０．８７８
（３ｂ）−１．６８Ｅ−３×νｄ１ｎ＋０．６２０ ＜ θｇＦ１ｎ
＜ ３．１５Ｅ−４×νｄ１ｎ＾２−１．８６Ｅ−２×νｄ１ｎ＋０．８７８
（４ａ）１０ ＜ νｄ１ｎ ＜ ２７
（４ｂ）１５ ＜ νｄ１ｎ ＜ ２７
また、前記前群負レンズの焦点距離をｆ１ｎ、前記前群の焦点距離をｆ１とするとき、
（５） ０．９ ＜ ｜ｆ１ｎ｜／ｆ１ ＜ ６．５
なる条件を満たすことが望ましい。
【００２１】
条件式（５）は、前群の高分散かつ異常分散性を有する負レンズの焦点距離を規定する式である。上限を超えて高分散かつ異常分散性を有する負レンズの焦点距離が長くなりすぎる、すなわち、負レンズの屈折力が弱くなりすぎると、望遠端における全系の全長が長くなり、小型化を図る上で不利となる。下限を超えて、負レンズの焦点距離が短くなりすぎる、すなわち、負レンズの屈折力が強くなりすぎると、ペッツバール和が負側に大きくなり、像面湾曲を抑えることが困難となる。
【００２２】
条件式（５）は、次の条件式（５ａ）を満足すると望遠端での球面収差補正効果が十分得られ、好ましい。
（５ａ）０．９ ＜ ｜ｆ１ｎ｜／ｆ１ ＜ ３．０
また、前記前群の正レンズのアッベ数をνｄ１ｐとするとき、
（６） ５５ ＜ νｄ１ｐ
なる条件を満たすことが望ましい。
【００２３】
条件式（６）は、前群の正レンズの材料を規定するものである。
【００２４】
条件式（６）の下限を超えてアッベ数が小さくなると、前群で発生ずる軸上色収差が増大し、後群での補正が困難となる。
【００２５】
条件式（６）は、次の条件式（６ａ）を満足すると、前群での軸上色収差の発生を抑えることができ、好ましい。
（６ａ）６０ ＜νｄ１ｐ
また、前記後群は正レンズと負レンズをそれぞれ１枚から成り、後群の正レンズの焦点距離をｆ２ｐ、後群の負レンズの焦点距離をｆ２ｎとするとき、
（７） ０．０５ ＜ ｜ｆ２ｎ｜／ｆ２ｐ ＜ ０．８０
なる条件を満たすことが望ましい。
【００２６】
条件式（７）の上限を超えて、負レンズの焦点距離が長くなりすぎると、前群と後群の空気間隔の増大を招き、小型化が困難となる。
【００２７】
条件式（７）の下限を超えて、負レンズの焦点距離が短くなりすぎると、倍率色収差の補正が困難隣、好ましくない。
【００２８】
条件式（７）は、次の条件式（７ａ）を満足すると、小型化と倍率色収差の補正が適正となり、好ましい。
（７ａ）０．２０ ＜ ｜ｆ２ｎ｜／ｆ２ｐ ＜ ０．５０
また、前記後群は正レンズと負レンズをそれぞれ１枚から成り、後群の負レンズの焦点距離をｆ２ｎ、後群の焦点距離をｆ２とするとき、
（８） ０．４ ＜ ｜ｆ２ｎ｜／｜ｆ２｜ ＜ １．０
なる条件を満たすことが望ましい。
【００２９】
条件式（８）の上限を超えて、負レンズの焦点距離が長くなりすぎると、前群で発生する色収差の補正が困難となる。
【００３０】
条件式（８）の下限を超えて、負レンズの焦点距離が短くなると、射出面での軸外光束の光線高さが高くなり、非点収差の増大を招く。
【００３１】
条件式（８）は、次の条件式（８ａ）を満足すると、より一層好ましい。
（８ａ）０．４ ＜ ｜ｆ２ｎ｜／｜ｆ２｜ ＜ ０．８
また、前記前群負レンズの屈折率をＮｄ１ｎとするとき、
（９） １．８４ ＜ Ｎｄ１ｎ ＜ ２．５
なる条件を満たすことが望ましい。
【００３２】
条件式（９）の上限を超えて高屈折率になると曲率半径が大きくなり、諸収差の補正効果が得られず好ましくない。
【００３３】
条件式（９）の下限を超えて屈折率が低くなると所定の屈折力を持たせるために曲率半径が小さくなり非点収差の補正が困難になるので好ましくない。また、小型化が困難となる。
【００３４】
また、前記前群の焦点距離をｆ１、前記後群の焦点距離をｆ２とするとき、
（１０）１．５ ＜ｆ１／｜ｆ２｜ ＜３．０
なる条件を満たすことが望ましい。
【００３５】
条件式（１０）は、テレコンバータのアフォーカル倍率を規定した式である。
【００３６】
条件式（１０）の上限を超えると、前群で発生する色収差が大きなリ、後群での補正が不十分となり、画質の劣化を招く。
【００３７】
条件式（１０）の下限を超えると、前群での色収差の発生量が少なくなり、本実施例で提案するようなレンズ構成の必要性が低くなってしまう。
【００３８】
更に、条件式（１０）は次の条件式（１０ａ）を満足するとなおよい。
（１０ａ）１．６ ＜ｆ１／｜ｆ２｜ ＜２．６
以下、本発明のテレコンバータの実施形態について説明する。
【００３９】
本実施形態のテレコンバータはデジタルカメラ、ビデオカメラ等の撮影レンズの物体側に装着して、撮影レンズの焦点距離を拡大するためのものである。
【００４０】
以下、数値実施例１〜６を本実施形態と呼ぶ。
【００４１】
本実施例のテレコンバータは、全体としてアフォーカル系を構成している。
【００４２】
図１において、ＴＣはテレコンバータレンズ部、ＭＬは撮影レンズであるマスターレンズ部を示し、テレコンバータレンズ部ＴＣは、正の屈折力（焦点距離の逆数、光学的パワー）の前群ＴＣＦと負の屈折力の後群ＴＣＲとから構成されている。
【００４３】
マスターレンズ部はズームレンズであり、図１において、テレコンバータを装着したときに実用範囲となる広角端（Ｗ）と望遠端（Ｔ）でのレンズ断面図を示している。
【００４４】
ここで実用範囲とは、マスターレンズの最大像高で光量が十分確保できるいわゆる「けられ」がない状態で使用できる範囲を指す。
【００４５】
またけられのない画面の中心部のみを使用することで、さらに広角側で使用することも可能である。
Ｇはマスターレンズ部の最後部に設計上設けた光学フィルター、フェースプレート、水晶ローパスフィルター、赤外カットフィルター等に相当する光学ブロックである。
【００４６】
ＩＰはＣＣＤセンサやＣＭＯＳセンサ等の固体撮像素子（光電変換素子）の受光面が配される像面である。
【００４７】
図１に示したマスターレンズ部Ｍの画角２ωは１２．７°（Ｗ）〜４．２°（Ｔ）であり、中望遠域のズームレンズである。
【００４８】
後群は正レンズと負レンズをそれぞれ１枚から成る構成を採っている。
【００４９】
本構成により後群で発生する軸上色収差を抑えると共に、前群で発生した軸上色収差を効果的に打ち消している。
【００５０】
後群の最も像面側を凹面にして、テレコンバータレンズとマスターレンズとの間の空気レンズ形状をコンセントリックに近い形状としている。これにより、中望遠域のマスターレンズに装着するテレコンバータとして、後群ＬＲの像面側のレンズ面において軸外光束の射出角が極端に大きくならないため、非点収差、倍率色収差の高次成分の発生が低減できる効果がある。
【００５１】
実施例においてＲｉは物体側より順に第ｉ番目の面の曲率半径、Ｄｉは物体側より順に第ｉ番目と第ｉ＋１番目間のレンズ厚及び空気間隔、Ｎｉとνｉは各々物体側より順に第ｉ番目の光学部材の材質の屈折率とアッベ数である。又前述の各条件式と実施例１から５の関係をそれぞれ（表１）に示す。
【００５２】
非球面形状は光軸方向にＸ軸、光軸と垂直方向にＨ軸、光の進行方向を正としＲを近軸曲率半径、Ｋを円錐定数、Ａ４〜Ａ１０を各々非球面係数としたとき
【００５３】
【数１】
2012123032.tif 000003
【００５４】
なる式で表している。
【００５５】
*は非球面形状を有する面を意味している。
【００５６】
「ｅ−ｘ」は１０-xを意味している。
【００５７】
ｆは焦点距離、ＦｎｏはＦナンバー、ωは画角を示す。
［実施例１］
単位 mm
面データ
面番号       r        d      nd         vd      θgF
1         68.034    3.00   2.10500    17.2    0.60817       
2         57.436   14.00   1.48749    70.2    0.53001       
3       -268.505   39.03                             
4        -76.267    1.20   1.48749    70.2    0.53001       
5         50.433    2.78   1.92286    18.9    0.64952       
6         64.007    5.00
各種データ
アフォーカル倍率      1.534 
［実施例２］
単位 mm
面データ
面番号       r        d      nd         vd      θgF
1         56.411   16.96   1.48749    70.2    0.53001       
2       -232.901    4.00   2.10500    17.2    0.60817       
3       1386.531   22.51                             
4       -552.861    4.15   2.10500    17.2    0.60817       
5       -103.532   11.18                             
6        -50.256    1.20   1.58267    46.4    0.56710       
7         72.246    5.00
各種データ
アフォーカル倍率      1.534 
［実施例３］
単位 mm
面データ
面番号       r        d      nd         vd      θgF
1         98.854    3.00   1.84660    23.4    0.59564       
2         62.927    8.07   1.48749    70.2    0.53001       
3        410.076    0.20                             
4         55.210    9.36   1.48749    70.2    0.53001       
5       3802.482   30.27                             
6       -167.643    1.20   1.60311    60.6    0.54143       
7         25.654    2.91   1.84660    23.4    0.59564       
8         34.865    5.00
各種データ
アフォーカル倍率      1.664 
［実施例４］
単位 mm
面データ
面番号       r        d      nd         vd      θgF
1         86.038    3.00   1.84666    26.8    0.57997       
2         55.361    8.19   1.48749    70.2    0.53001       
3        216.907    0.20                             
4         59.394    9.64   1.51633    64.1    0.53524       
5       -474.399   29.76                             
6       -106.379    1.20   1.63854    55.4    0.55069       
7         27.222    3.02   1.84666    26.8    0.57997       
8         40.731    5.00
各種データ
アフォーカル倍率      1.680 
［実施例５］
単位 mm
面データ
面番号       r        d      nd         vd      θgF
1         69.819    3.00   2.00800    10.2    0.58820       
2         61.570    8.73   1.48749    70.2    0.53001       
3        358.581    0.20                             
4         59.500    6.37   1.56384    60.7    0.54024       
5        130.870   29.92                             
6       -218.870    4.05   1.84666    26.8    0.57997       
7        -54.457    1.20   1.63854    55.4    0.55069       
8         35.877    5.00
各種データ
アフォーカル倍率      1.680 
［実施例６］
単位 mm
面データ
面番号       r        d      nd         vd      θgF
1         69.215    3.00   2.14352    17.8    0.63206       
2         51.705    9.26   1.60311    60.6    0.54143       
3        527.988    0.20                             
4         53.313    4.82   1.83400    37.2    0.57752       
5         73.328   39.80                             
6       1571.354    4.12   2.14352    17.8    0.63206       
7        -64.834    2.00   1.83400    37.2    0.57752       
8         30.644    5.00
各種データ
アフォーカル倍率      2.020 
［マスターレンズ］
単位 mm
面データ
面番号       r        d      nd         vd      θgF
1         38.308    1.15   1.84666    23.8    0.62046       
2         20.841    4.30   1.60311    60.6    0.54143       
3          ∞       0.20                             
4         19.937    2.60   1.69680    55.5    0.54335       
5         55.328  (可変)                             
6         36.632    0.60   1.88300    40.8    0.56672       
7          4.951    2.24                             
8        -22.767    0.60   1.77250    49.6    0.55205       
9         12.886    0.54                             
10          9.947    1.40   1.92286    18.9    0.64952       
11         42.747  (可変)                             
12*        10.730    2.55   1.58313    59.4    0.54230       
13*       -37.223    1.40                             
14(絞り)    ∞       2.30                             
15         76.986    0.60   1.76182    26.5    0.61353       
16          9.600    0.22                             
17         12.605    2.00   1.48749    70.2    0.53001       
18        -23.245  (可変)                             
19         15.256    1.80   1.77250    49.6    0.55205       
20        -19.828    0.55   1.92286    18.9    0.64952       
21        -50.464  (可変)                             
22          ∞       1.50   1.51633    64.1    0.53524       
23          ∞       1.00                             
像面        ∞   
非球面データ
第12面
K = 2.16457e-001  A 4=-2.58526e-005  A 6=-1.06474e-006  A 8= 3.81986e-008  A10=-8.07093e-010  
第13面
K = 0.00000e+000  A 4= 1.85304e-004  A 6=-5.42864e-007  
各種データ
ズーム比      3.07 
焦点距離      20.27    62.16  
Fナンバー      2.84     3.11  
画角           6.33     2.07  
像高           2.25     2.25  
レンズ全長    59.92    59.92  
BF            12.12     6.04  
d 5           14.65    19.73  
d11            5.88     0.80  
d18            2.22     8.30  
d21           10.13     4.05  
ズームレンズ群データ
群  始面    焦点距離  
1    1      30.50  
2    6      -5.76  
3   12      16.40  
4   19      16.51  
5   22       ∞    
【００５８】
【表１】
2012123032.tif 000004
【符号の説明】
【００５９】
ｄ…ｄ線
ｇ…ｇ線
ΔＭ…メリディオナル像面
ΔＳ…サジタル像面
ＳＰ…絞り
ＩＰ…結像面
Ｇ…ＣＣＤのフォースプレートやローパスフィルター等のガラスブロック
球面収差…実線：ｄ線、点線：Ｆ線、１点鎖線：Ｃ線、２点鎖線：ｇ線
非点収差…実線：ｄ線ΔＳ、点線：ｄ線ΔＭ、１点鎖線：ｇ線ΔＳ、２点鎖線：ｇ線ΔＭ
歪曲…ｄ線
倍率色収差…点線：Ｆ線、１点鎖線：Ｃ線、２点鎖線：ｇ線
【図１】
2012123032.tif 000005
【図２】
2012123032.tif 000006
【図３】
2012123032.tif 000007
【図４】
2012123032.tif 000008
【図５】
2012123032.tif 000009
【図６】
2012123032.tif 000010
【図７】
2012123032.tif 000011
【図８】
2012123032.tif 000012
【図９】
2012123032.tif 000013
【図１０】
2012123032.tif 000014
【図１１】
2012123032.tif 000015
【図１２】
2012123032.tif 000016
【図１３】
2012123032.tif 000017
【図１４】
2012123032.tif 000018
【図１５】
2012123032.tif 000019
【図１６】
2012123032.tif 000020
【図１７】
2012123032.tif 000021
【図１８】
2012123032.tif 000022
【図１９】
2012123032.tif 000023
【図２０】
2012123032.tif 000024